(57)【特許請求の範囲】
【請求項１】
自メッセージの送信後に送信することがスケジューリングされているメッセージのタイプを有する第１のメッセージ及び緊急情報を示すタイプに属する第２のメッセージを受信する受信部と、
前記第１のメッセージにスケジューリングされているメッセージを解析する解析部と、
前記第１のメッセージの受信処理を行う受信処理部と、
ユーザに前記第１のメッセージを受信したことを通知する通知部と、
を備え、
前記解析部は、前記第１のメッセージを受信したことに応じて、前記受信部が受信した前記第１のメッセージに前記第２のメッセージがスケジューリングされているか否かを解析し、
前記受信処理部は、前記第１のメッセージに前記第２のメッセージがスケジューリングされている場合に、前記通知部に前記第１のメッセージを受信したことを通知し、
前記通知部は、前記受信処理部からの通知に基づいてユーザにこれから前記第２のメッセージを受信することを通知することを特徴とする無線通信端末。
【請求項２】
前記受信処理部は、前記受信部が受信した前記第２のメッセージの受信処理を行い、前記第２のメッセージに含まれる緊急情報を抽出して、前記通知部に前記緊急情報を通知し、
前記通知部は、前記受信処理部からの通知に基づいてユーザに前記緊急情報を通知することを特徴とする請求項１に記載の無線通信端末。
【請求項３】
自メッセージの送信後に送信することがスケジューリングされているメッセージのタイプを有する第１のメッセージ及び緊急情報を示すタイプに属する第２のメッセージを送信する基地局と、
前記第１のメッセージ及び前記第２のメッセージを受信してユーザに通知する無線通信端末と、
を備え、
前記無線通信端末は、
前記第１のメッセージ及び前記第２のメッセージを受信する受信部と、
前記第１のメッセージにスケジューリングされているメッセージを解析する解析部と、
前記第１のメッセージの受信処理を行う受信処理部と、
ユーザに前記第１のメッセージを受信したことを通知する通知部と、
を備え、
前記解析部は、前記第１のメッセージを受信したことに応じて、前記受信部が受信した前記第１のメッセージに前記第２のメッセージがスケジューリングされているか否かを解析し、
前記受信処理部は、前記第１のメッセージに前記第２のメッセージがスケジューリングされている場合に、前記通知部に前記第１のメッセージを受信したことを通知し、
前記通知部は、前記受信処理部からの通知に基づいてユーザにこれから前記第２のメッセージを受信することを通知することを特徴とする無線通信システム。
【請求項４】
無線通信端末により自メッセージの送信後に送信することがスケジューリングされているメッセージのタイプを有する第１のメッセージを受信し、
前記第１のメッセージを受信したことに応じて、受信した前記第１のメッセージに緊急情報を示すタイプに属する第２のメッセージがスケジューリングされているか否かを解析し、
解析した結果、前記第１のメッセージに前記第２のメッセージがスケジューリングされている場合に、無線通信端末のユーザインタフェースを用いてユーザに前記第１のメッセージを受信したことを通知し、
前記無線通信端末のユーザインタフェースを用いてユーザにこれから前記第２のメッセージを受信することを通知することを特徴とする無線通信方法。
【発明の詳細な説明】
【技術分野】
【０００１】
この発明は、無線通信端末、無線通信システム及び無線通信方法に関する。
【背景技術】
【０００２】
従来、所定トリガを検出した場合に、次の変更期間が開始するのを待つことなく、現在の変更期間において、スケジューリング情報通知用システム情報を受信する移動局がある。この移動局は、スケジューリング情報通知用システム情報によって通知されたスケジューリング情報に基づいて、緊急情報通知用システム情報を受信し、緊急情報通知用システム情報によって通知された緊急情報に対応する処理を行う。
【０００３】
また、緊急情報の発生を検知した場合に、複数の移動局に対して、所定トリガを通知するとともに、次の変更期間が開始するのを待つことなく、現在の変更期間において、スケジューリング情報通知用システム情報を送信する基地局がある。この基地局は、スケジューリング情報によって指定された下りリソースを用いて、緊急情報通知用システム情報を送信する。
【０００４】
また、移動局に、同報通信を開始するための制御チャネルを用いて簡易情報を送信し、同報通信用のトラフィックチャネルを用いて詳細情報を送信する基地局がある。移動局は、この基地局から受信した簡易情報を表示した後、詳細情報を表示する。
【０００５】
また、複数の移動局に対して同報情報を通知するように指示された場合、ページングメッセージの送信タイミングに関係なく、同報メッセージの繰り返し送信を開始する基地局がある。この基地局に対して、移動局は、ページングメッセージによって指定されているパラメータを用いて同報メッセージ受信用パラメータを受信し、同報メッセージ受信用パラメータを用いて受信可能な同報メッセージを受信し、同報情報に対応する処理を行う。
【０００６】
一方、次世代移動通信システムであるＬＴＥ（Ｌｏｎｇ  Ｔｅｒｍ  Ｅｖｏｌｕｔｉｏｎ）において、地震や津波などの緊急を要する情報配信（ＥＴＷＳ：Ｅａｒｔｈｑｕａｋｅ  Ｔｓｕｎａｍｉ  Ｗａｒｎｉｎｇ  Ｓｙｓｔｅｍ）に関する要求条件を満たす標準技術仕様が３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のリリース８にて規定されている。この標準技術仕様では、ＥＴＷＳの通知は、基地局が移動局に対して、ＥＴＷＳインディケーション（ＥＴＷＳ  ｉｎｄｉｃａｔｉｏｎ）を設定したページングメッセージ（ページングメッセージ）を送信することにより開始される。
【０００７】
そして、基地局は移動局に対して、例えば「地震発生」などの最も緊急を要する最低限の情報（Ｐｒｉｍａｒｙ  Ｎｏｔｉｆｉｃａｔｉｏｎ）を同報配信した後、例えば「震源地」や「震度」などの補足的な情報（Ｓｅｃｏｎｄａｒｙ  Ｎｏｔｉｆｉｃａｔｉｏｎ）を同報配信する。移動局は、デフォルトページングサイクルに１度の頻度でページングメッセージの受信を試み、受信したページングメッセージにＥＴＷＳインディケーションが設定されている場合に、緊急情報の含まれる報知情報の受信を開始する。
【先行技術文献】
【特許文献】
【０００８】
【特許文献１】特開２００９−２６７８８４号公報
【特許文献２】国際公開第２００７／１４８７０３号パンフレット
【特許文献３】特開２００９−２５３７７４号公報
【非特許文献】
【０００９】
【非特許文献１】３ＧＰＰ  ＴＳ  ２２．１６８  Ｖ８．１．０  （２００８−０６）  Ｅａｒｔｈｑｕａｋｅ  ａｎｄ  Ｔｓｕｎａｍｉ  Ｗａｒｎｉｎｇ  Ｓｙｓｔｅｍ  （ＥＴＷＳ）  ｒｅｑｕｉｒｅｍｅｎｔｓ；  Ｓｔａｇｅ  １  （Ｒｅｌｅａｓｅ  ８）
【非特許文献２】３ＧＰＰ  ＴＲ  ２３．８２８  Ｖ８．０．０  （２００８−０９）  Ｅａｒｔｈｑｕａｋｅ  ａｎｄ  Ｔｓｕｎａｍｉ  Ｗａｒｎｉｎｇ  Ｓｙｓｔｅｍ  （ＥＴＷＳ）  Ｒｅｑｕｉｒｅｍｅｎｔｓ  ａｎｄ  Ｓｏｌｕｔｉｏｎｓ；  Ｓｏｌｕｔｉｏｎ  Ｐｌａｃｅｈｏｌｄｅｒ  （Ｒｅｌｅａｓｅ  ８）
【発明の概要】
【発明が解決しようとする課題】
【００１０】
しかしながら、上述したＥＴＷＳの標準技術仕様では、移動局は、最低限の情報（Ｐｒｉｍａｒｙ  Ｎｏｔｉｆｉｃａｔｉｏｎ）を受信した時点で、ユーザに緊急情報の配信を通知するために、鳴動やメッセージを表示するなどの所定の処理を行う。つまり、ユーザは、緊急情報が配信されていることを、移動局が最低限の情報（Ｐｒｉｍａｒｙ  Ｎｏｔｉｆｉｃａｔｉｏｎ）を受信するまでは知ることができないという問題点がある。
【００１１】
ユーザに緊急情報が配信されていることを迅速に知らせることができる無線通信端末、無線通信システム及び無線通信方法を提供することを目的とする。
【課題を解決するための手段】
【００１２】
無線通信端末は、受信部、解析部、受信処理部及び通知部を備える。受信部は、第１のメッセージ及び第２のメッセージを受信する。解析部は、第１のメッセージにスケジューリングされているメッセージを解析し、第１のメッセージに第２のメッセージがスケジューリングされているか否かを解析する。受信処理部は、第１のメッセージの受信処理を行い、第１のメッセージに第２のメッセージがスケジューリングされている場合に、通知部に第１のメッセージを受信したことを通知する。通知部は、ユーザに第１のメッセージを受信したことを通知する。
【発明の効果】
【００１３】
この無線通信端末、無線通信システム及び無線通信方法によれば、ユーザに緊急情報が配信されていることを迅速に知らせることができる。
【図面の簡単な説明】
【００１４】
【図１】図１は、実施例１にかかる無線通信システム及び無線通信端末を示すブロック図である。
【図２】図２は、実施例１にかかる無線通信方法を示すフローチャートである。
【図３】図３は、実施例２にかかる無線通信端末のハードウェア構成を示すブロック図である。
【図４】図４は、実施例２にかかる無線通信端末の機能的構成を示すブロック図である。
【図５】図５は、実施例２における受信メッセージの一例を示す図である。
【図６】図６は、実施例２にかかる無線通信方法を示すシーケンス図である。
【図７】図７は、実施例２における簡易情報の表示画面例を示す図である。
【図８】図８は、実施例２における詳細情報の表示画面例を示す図である。
【図９】図９は、実施例２にかかる無線通信方法の別の例を示すシーケンス図である。
【図１０】図１０は、実施例２にかかる無線通信端末のベースバンド部での処理を示すフローチャートである。
【図１１】図１１は、実施例２にかかる無線通信端末のアプリケーション部での処理を示すフローチャートである。
【発明を実施するための形態】
【００１５】
以下に添付図面を参照して、この無線通信端末、無線通信システム及び無線通信方法の好適な実施の形態を詳細に説明する。無線通信端末、無線通信システム及び無線通信方法は、無線通信端末において、受信した第１のメッセージに第２のメッセージがスケジューリングされている場合、第２のメッセージを受信する前に、ユーザに第１のメッセージを受信したことを通知するものである。以下の各実施例の説明においては、同様の構成要素には同一の符号を付して、重複する説明を省略する。
【００１６】
（実施例１）
・無線通信システム及び無線通信端末の説明
図１は、実施例１にかかる無線通信システム及び無線通信端末を示すブロック図である。図１に示すように、無線通信システムは、基地局１及び無線通信端末２を備えている。基地局１は、第１のメッセージ及び第２のメッセージを送信する。第１のメッセージには、第２のメッセージがスケジューリングされていてもよい。
【００１７】
無線通信端末２は、受信部３、解析部４、受信処理部５及び通知部６を備える。受信部３は、第１のメッセージ及び第２のメッセージを受信する。解析部４は、第１のメッセージにスケジューリングされているメッセージを解析し、第１のメッセージに第２のメッセージがスケジューリングされているか否かを解析する。受信処理部５は、第１のメッセージの受信処理を行い、第１のメッセージに第２のメッセージがスケジューリングされている場合に、通知部６に第１のメッセージを受信したことを通知する。通知部６は、ユーザに第１のメッセージを受信したことを通知する。
【００１８】
・無線通信方法の説明
図２は、実施例１にかかる無線通信方法を示すフローチャートである。図２に示すように、無線通信端末２は、基地局１から送信された第１のメッセージを受信すると（ステップＳ１）、受信した第１のメッセージに第２のメッセージがスケジューリングされているか否かを解析する（ステップＳ２）。解析した結果、第１のメッセージに第２のメッセージがスケジューリングされている場合（ステップＳ２：Ｙｅｓ）、無線通信端末２はユーザインタフェースを用いてユーザに第１のメッセージを受信したことを通知する（ステップＳ３）。一方、第１のメッセージに第２のメッセージがスケジューリングされていない場合（ステップＳ２：Ｎｏ）、無線通信端末２はステップＳ３を省略する。
【００１９】
次いで、無線通信端末２は、基地局１から送信された、第１のメッセージでスケジューリングされていた第２のメッセージを受信すると（ステップＳ４：Ｙｅｓ）、ユーザインタフェースを用いてユーザに第２のメッセージを受信したことを通知する（ステップＳ５）。そして、一連の処理が終了する。一方、無線通信端末２は、第２のメッセージを受信しない場合（ステップＳ４：Ｎｏ）、無線通信端末２はステップＳ５を省略する。そして、一連の処理が終了する。
【００２０】
実施例１によれば、無線通信端末２が、第１のメッセージにスケジューリングされている第２のメッセージを受信する前に、ユーザに第１のメッセージを受信したことを通知するので、ユーザに第２のメッセージが送信されることを迅速に知らせることができる。第２のメッセージが例えば地震や津波などの緊急情報である場合、ユーザに緊急情報が配信されていることを迅速に知らせることができる。
【００２１】
（実施例２）
実施例２は、実施例１にかかる無線通信端末および無線通信方法を、例えばＬＴＥのＥＴＷＳに適用したものである。なお、実施例１にかかる無線通信端末および無線通信方法は、ＬＴＥのＥＴＷＳに限らず、無線通信端末が、第２のメッセージがスケジューリングされている第１のメッセージを受信したときに、第２のメッセージの受信前であっても、第１のメッセージを受信したことをユーザに通知する無線通信端末、無線通信システム及び無線通信方法に適用することができる。
【００２２】
・無線通信端末のハードウェア構成の説明
図３は、実施例２にかかる無線通信端末のハードウェア構成を示すブロック図である。無線通信端末は、例えば携帯電話機である。図３に示すように、無線通信端末２は、例えばベースバンドプロセッサ１１を備えている。ベースバンドプロセッサ１１には、例えば無線回路部（ＲＦ：Ｒａｄｉｏ  Ｆｒｅｑｕｅｎｃｙ）１２及びメモリ１３が接続されている。
【００２３】
無線回路部１２は、アンテナを介して送受信する信号に対して変調処理または復調処理を行う。ベースバンドプロセッサ１１は、ベースバンド信号に対して符号化処理または復号処理を行う。ベースバンドプロセッサ１１は、メッセージの受信処理及び通信プロトコルの制御を行う。
【００２４】
メモリ１３には、フラッシュメモリなどの不揮発性メモリやＳＲＡＭ（Ｓｔａｔｉｃ  Ｒａｎｄｏｍ  Ａｃｃｅｓｓ  Ｍｅｍｏｒｙ）などの揮発性メモリが含まれていてもよい。不揮発性メモリには、例えばベースバンドプロセッサ１１により実行されるプロトコルプログラムやデータなどが格納されていてもよい。揮発性メモリは、例えばベースバンドプロセッサ１１の作業領域として用いられてもよい。
【００２５】
また、無線通信端末２は、例えばアプリケーションプロセッサ１４を備えている。アプリケーションプロセッサ１４は、ベースバンドプロセッサ１１に接続されている。アプリケーションプロセッサ１４は、種々のアプリケーションプログラムを実行する。アプリケーションプロセッサ１４が実行するアプリケーションプログラムの一例として、例えば後述する緊急情報を受信した場合の無線通信方法を実現するプログラムが挙げられる。
【００２６】
アプリケーションプロセッサ１４には、例えばスピーカ１５、ディスプレイ１６、振動用モータ１７、ランプ１８及びメモリ１９が接続されている。スピーカ１５は、緊急情報の受信時やメールの受信時や着信（着呼）時に音を発する。ディスプレイ１６は、アプリケーションプログラムの実行時に種々のメッセージや図柄を表示する。例えば、ディスプレイ１６は、緊急情報の受信時に専用のアイコンや専用のメッセージを表示してもよい。振動用モータ１７は、緊急情報の受信時やメールの受信時や着信（着呼）時に無線通信端末２を振動させる。ランプ１８は、緊急情報の受信時やメールの受信時や着信（着呼）時に点灯または点滅する。
【００２７】
メモリ１９には、フラッシュメモリなどの不揮発性メモリ及びＳＲＡＭなどの揮発性メモリが含まれていてもよい。不揮発性メモリには、例えばアプリケーションプロセッサ１４により実行されるアプリケーションプログラムやデータなどが格納されている。揮発性メモリは、例えばアプリケーションプロセッサの作業領域として用いられる。
【００２８】
・無線通信端末の機能的構成の説明
図４は、実施例２にかかる無線通信端末の機能的構成を示すブロック図である。図５は、実施例２における受信メッセージの一例を示す図である。図４に示すように、無線通信端末２は、例えばベースバンド部２１を備えている。ベースバンド部２１は、ベースバンド信号の処理を実行する。ベースバンド部２１では、受信部の一例として例えばＳＩＢ（Ｓｙｓｔｅｍ  Ｉｎｆｏｒｍａｔｉｏｎ  Ｂｌｏｃｋ）メッセージ受信処理部２２が実現される。また、ベースバンド部２１では、プロトコル制御部２３が実現される。ベースバンド部２１は、例えばベースバンドプロセッサ１１により実現される。
【００２９】
ＳＩＢメッセージ受信処理部２２は、基地局１から報知される第１のメッセージ及び第２のメッセージを受信する。ＥＴＷＳでは、第１のメッセージの一例として、例えばＳＩＢ１（Ｓｙｓｔｅｍ  Ｉｎｆｏｒｍａｔｉｏｎ  Ｂｌｏｃｋ  Ｔｙｐｅ１）メッセージが挙げられる。ＳＩＢ１メッセージには、他のメッセージのスケジューリング情報が含まれている。ＳＩＢ１メッセージには、例えば第２のメッセージのスケジューリング情報が含まれていることがある。
【００３０】
ＥＴＷＳでは、第２のメッセージの一例として、例えばＳＩＢ１０（Ｓｙｓｔｅｍ  Ｉｎｆｏｒｍａｔｉｏｎ  Ｂｌｏｃｋ  Ｔｙｐｅ１０）及びＳＩＢ１１（Ｓｙｓｔｅｍ  Ｉｎｆｏｒｍａｔｉｏｎ  Ｂｌｏｃｋ  Ｔｙｐｅ１１）の各メッセージが挙げられる。ＳＩＢ１０／ＳＩＢ１１メッセージにより、例えば緊急情報（ＥＴＷＳ情報）が報知される。
【００３１】
ＳＩＢ１０メッセージにより、例えば緊急情報のプライマリノーティフィケーション（Ｐｒｉｍａｒｙ  Ｎｏｔｉｆｉｃａｔｉｏｎ）情報が報知される。ＳＩＢ１１メッセージにより、例えば緊急情報のセカンダリノーティフィケーション（Ｓｅｃｏｎｄａｒｙ  Ｎｏｔｉｆｉｃａｔｉｏｎ）情報が報知される。３ＧＰＰの仕様によれば、ＳＩＢ１０／ＳＩＢ１１メッセージは、例えば３２０ｍｓ、６４０ｍｓ、１．２８ｓ、２．５６ｓまたは５．１２ｓの周期で繰り返し報知される。
【００３２】
ＳＩＢ１の一例を図５に示す。図示例では、ＳＩＢ１＿３１に、ＳＩＢ１０＿３２及びＳＩＢ１１＿３３のスケジューリング情報が定義されている。ＳＩＢメッセージ受信処理部２２は、その他のタイプのＳＩＢも受信する。ＳＩＢメッセージ受信処理部２２は、受信したメッセージの受信処理を行い、プロトコル制御部２３において実現されるＳＩＢ解析処理部２４に、メッセージを受信したことを通知する。
【００３３】
プロトコル制御部２３は、ネットワークとの無線リンクの制御や無線資源の制御や呼制御などを行う。プロトコル制御部２３では、解析部の一例として例えばＳＩＢ解析処理部２４が実現される。ＳＩＢ解析処理部２４は、ＳＩＢメッセージを解析する。
【００３４】
例えば、ＳＩＢ解析処理部２４は、ＳＩＢ１メッセージによりスケジューリングされたＳＩＢメッセージの受信を開始することをＳＩＢメッセージ受信処理部２２へ通知する。それによって、ＳＩＢメッセージ受信処理部２２は、ＳＩＢ１でスケジューリングされているＳＩＢメッセージの取得を開始する。
【００３５】
ＳＩＢ解析処理部２４は、ＳＩＢ１メッセージに含まれているスケジューリング情報に基づいて、ＳＩＢ１０／ＳＩＢ１１メッセージがスケジューリングされていることを確認する。ＳＩＢ１０／ＳＩＢ１１メッセージがスケジューリングされている場合、ＳＩＢ解析処理部２４は、例えばアプリケーション部２５において実現される緊急情報受信処理部２６へ、ＳＩＢ１０／ＳＩＢ１１メッセージがスケジューリングされていることを通知する。
【００３６】
また、ＳＩＢ解析処理部２４は、受信したＳＩＢメッセージがＳＩＢ１０／ＳＩＢ１１メッセージである場合、ＳＩＢ１０／ＳＩＢ１１メッセージを受信したこと確認し、そのことを緊急情報受信処理部２６へ通知する。
【００３７】
また、無線通信端末２は、例えばアプリケーション部２５を備えている。アプリケーション部２５は、種々のアプリケーションプログラムを実行する。アプリケーション部２５では、受信処理部の一例として例えば緊急情報受信処理部２６が実現される。また、アプリケーション部２５では、通知部の一例としてユーザ通知部２７が実現される。アプリケーション部２５は、例えばアプリケーションプロセッサ１４により実現される。
【００３８】
緊急情報受信処理部２６は、ＳＩＢ１０／ＳＩＢ１１メッセージがスケジューリングされたＳＩＢ１メッセージを受信したことを認識し、そのことをユーザ通知部２７へ通知する。また、緊急情報受信処理部２６は、ＳＩＢ１０／ＳＩＢ１１メッセージに含まれる緊急情報を抽出し、抽出した緊急情報をユーザ通知部２７へ通知する。
【００３９】
ユーザ通知部２７は、緊急情報受信処理部２６からＳＩＢ１メッセージの受信の通知を受け取ると、ネットワーク側で緊急情報の配信が開始されたことをユーザに通知する。また、ユーザ通知部２７は、緊急情報受信処理部２６からＳＩＢ１０／ＳＩＢ１１メッセージに含まれる緊急情報の通知を受け取ると、緊急情報をユーザに通知する。
【００４０】
ユーザ通知部２７によるユーザへの通知方法として、ユーザ通知部２７は、例えばディスプレイ１６に専用のアイコンを表示してもよいし、ランプ１８を点灯させたり点滅させたりしてもよい。また、ユーザ通知部２７は、スピーカ１５から警告音を発したり、振動用モータ１７を駆動して無線通信端末２を振動させてもよい。また、ユーザ通知部２７は、ディスプレイ１６に専用のメッセージを表示させてもよい。あるいは、これらの通知方法のうち、二つ以上を組み合わせてもよい。
【００４１】
・無線通信方法の説明（全体のシーケンス）
図６は、実施例２にかかる無線通信方法を示すシーケンス図である。図７は、実施例２における簡易情報の表示画面例を示す図である。図８は、実施例２における詳細情報の表示画面例を示す図である。
【００４２】
図６に示すように、緊急情報の配信が開始されると、まず、ＣＢＥ／ＣＢＣから基地局１に対して緊急情報の配信要求が送られる（ステップＳ１１）。ここで、ＣＢＣは、Ｃｅｌｌ  Ｂｒｏａｄｃａｓｔ  Ｃｅｎｔｅｒの略であり、例えば情報配信サーバのことである。ＣＢＥは、Ｃｅｌｌ  Ｂｒｏａｄｃａｓｔ  Ｅｎｔｉｔｙの略であり、ＣＢＣに接続される例えば気象庁などの情報配信元のことである。
【００４３】
基地局１は、緊急情報の配信要求を受け取ると、緊急情報を通知する対象のエリアに在圏する無線通信端末２に対して、ＥＴＷＳインディケーション（ＥＴＷＳ  ｉｎｄｉｃａｔｉｏｎ）を含むページングメッセージを送信する。そして、無線通信端末２は、このページングメッセージを受信する（ステップＳ１２）。このページングメッセージの送信によって、基地局１は無線通信端末２に、報知情報による緊急情報の配信が開始されたことを通知し、報知情報の再取得を要求する。
【００４４】
無線通信端末２は、待ち受け状態または通信中の状態において、デフォルトページングサイクル（Ｄｅｆａｕｌｔ  Ｐａｇｉｎｇ  Ｃｙｃｌｅ）に１度の頻度でページングメッセージの受信を試みている。デフォルトページングサイクルは、報知情報により指定される。例えば３ＧＰＰの仕様では、デフォルトページングサイクルは、３２０ｍｓ、６４０ｍｓ、１．２８ｓまたは２．５６ｓである。
【００４５】
また、基地局１は、ページングメッセージの送信後、ＳＩＢ１メッセージを周期的に報知している。無線通信端末２は、ページングメッセージを受信すると、ベースバンド部２１によりＳＩＢ１メッセージを受信する（ステップＳ１３）。このＳＩＢ１メッセージには、報知情報の緊急情報（ＳＩＢ１０／ＳＩＢ１１メッセージ）やその他のＳＩＢメッセージを受信するためのスケジューリング情報が含まれている。無線通信端末２は、ＳＩＢ１メッセージにスケジューリング情報が含まれているＳＩＢメッセージの受信処理を継続する（ステップＳ１４）。
【００４６】
無線通信端末２は、スケジューリング情報にＳＩＢ１０／ＳＩＢ１１メッセージがスケジューリングされていることを確認すると、アプリケーション部２５に対して、基地局１が緊急情報の配信を開始したことを通知する。そして、アプリケーション部２５は、緊急情報の配信が開始されたことを知らせる通知を受け取る（ステップＳ１５）。
【００４７】
アプリケーション部２５は、緊急情報の配信開始通知を受け取ると、ユーザに緊急情報の簡易情報を通知する（ステップＳ１６）。図７に、緊急情報の簡易情報の表示画面例を示す。特に限定しないが、例えば図７に示す例では、ディスプレイ１６に専用のメッセージとして「緊急情報の配信が開始されたこと」と「引き続き緊急情報を受信する可能性があること」が表示されている。この時点では、緊急情報の種別や規模などの詳細については不明である。また、上述したように、ディスプレイ１６に専用のアイコンを表示したり、スピーカ１５から警告音を出したり、振動用モータ１７により無線通信端末２を振動させたり、ランプ１８を点灯させたりしてもよい。
【００４８】
また、基地局１は、ＳＩＢ１メッセージの送信後、ＳＩＢ１０メッセージを報知している。無線通信端末２のベースバンド部２１は、ＳＩＢ１０メッセージを受信すると（ステップＳ１７）、ＳＩＢ１０メッセージに含まれている緊急情報のプライマリノーティフィケーション情報をアプリケーション部２５へ通知する。アプリケーション部２５は、プライマリノーティフィケーション情報を受け取り、緊急情報の詳細情報の一部として、例えば地震や津波などの緊急情報の種別を取得する（ステップＳ１８）。
【００４９】
基地局１は、ＳＩＢ１０メッセージの送信後、ＳＩＢ１１メッセージを報知している。無線通信端末２のベースバンド部２１は、ＳＩＢ１１メッセージを受信すると（ステップＳ１９）、ＳＩＢ１１メッセージに含まれている緊急情報のセカンダリノーティフィケーション情報をアプリケーション部２５へ通知する。アプリケーション部２５は、セカンダリノーティフィケーション情報を受け取り、緊急情報の詳細情報の一部として、例えば地震であれば震源地や震度などの情報、津波であれば津波の到達時刻や波の高さなどの情報を取得する（ステップＳ２０）。
【００５０】
アプリケーション部２５は、プライマリノーティフィケーション情報及びセカンダリノーティフィケーション情報を受け取ると、ユーザに緊急情報の詳細情報を通知する（ステップＳ２１）。図８に、緊急情報の詳細情報の表示画面例を示す。特に限定しないが、例えば図８に示す例では、ディスプレイ１６に専用のメッセージとして緊急情報の種別が「地震であること」と「震度」が表示されている。また、上述したように、ディスプレイ１６に専用のアイコンを表示したり、スピーカ１５から警告音を出したり、振動用モータ１７により無線通信端末２を振動させたり、ランプ１８を点灯させたりしてもよい。緊急情報の詳細情報を通知する際には、ステップＳ１６の緊急情報の簡易情報を通知する処理を停止させてもよい。
【００５１】
なお、ステップＳ１３以降は、ＥＴＷＳインディケーションを含むページングメッセージを受信しないまま、ＳＩＢ１０／ＳＩＢ１１メッセージのスケジューリング情報を含むＳＩＢ１メッセージを受信した場合も同様である。このような場合の例として、例えば、無線通信端末２が初回の位置登録を実施する際に自局情報を受信したとき、自局情報の有効期限が切れたため自局情報を再び受信したとき、またはハンドオーバによって移動した先のセルで自局情報を受信したとき、などが挙げられる。図９に、ＥＴＷＳインディケーションを含むページングメッセージを受信しないまま、ＳＩＢ１０／ＳＩＢ１１メッセージのスケジューリング情報を含むＳＩＢ１メッセージを受信した場合のシーケンスの一例を示す。
【００５２】
図９は、実施例２にかかる無線通信方法の別の例を示すシーケンス図である。図９に示すように、無線通信端末２は、緊急情報を通知する対象のエリアに在圏しているが、圏外の状態（オフライン状態）または電源オフの状態にあるとする（ステップＳ３１）。この状態のときに、ＣＢＥ／ＣＢＣから基地局１に対して緊急情報の配信要求が送られる（ステップＳ３２）。
【００５３】
基地局１は、緊急情報の配信要求を受け取り、緊急情報を通知する対象のエリアに在圏する無線通信端末２に対して、ＥＴＷＳインディケーションを含むページングメッセージを送信する。このとき、無線通信端末２は、圏外（オフライン）または電源オフの状態にあるので、このページングメッセージを受信することができない（ステップＳ３３）。
【００５４】
ページングメッセージに続いて、基地局１は、例えばＳＩＢ１０／ＳＩＢ１１メッセージを受信するためのスケジューリング情報を含むＳＩＢ１メッセージを周期的に報知する。しかし、無線通信端末２は、圏外（オフライン）または電源オフの状態にあるので、ＳＩＢ１メッセージを受信することができない（ステップＳ３４）。
【００５５】
ここで、ＳＩＢ１メッセージが周期的に報知されている状態のときに、無線通信端末２がオフライン状態を解除して圏内に復帰するか、または電源オンになったとする（ステップＳ３５）。この場合、無線通信端末２は、所定の位置登録の処理手順によりページングメッセージを受信しないまま、先に例えばＳＩＢ１０／ＳＩＢ１１メッセージを受信するためのスケジューリング情報を含むＳＩＢ１メッセージを受信する（ステップＳ３６）。
【００５６】
それによって、無線通信端末２は、上述した図６の例と同様に、ユーザに緊急情報の簡易情報を通知する（ステップＳ３７）。そして、無線通信端末２は、上述した図６の例と同様に、ＳＩＢ１０／ＳＩＢ１１メッセージを受信する（ステップＳ３８）。それによって、無線通信端末２は、上述した図６の例と同様に、ユーザに緊急情報の詳細情報を通知する（ステップＳ３９）。なお、ＳＩＢ１メッセージを受信した後の処理については、上述した図６の例と同様であるので、詳細を省略した。なお、無線通信端末２が、ハンドオーバにより、緊急情報の配信が開始されているエリアに在圏するようになった場合も同様である。
【００５７】
・ベースバンド部での処理
図１０は、実施例２にかかる無線通信端末のベースバンド部での処理を示すフローチャートである。ここでは、ＳＩＢ１メッセージを受信するところから説明する。図１０に示すように、ベースバンド部２１での処理が開始されると、まず、ベースバンド部２１は、ＳＩＢ１メッセージを受信する（ステップＳ４１）。ＥＴＷＳインディケーションを含むページングメッセージを受信する場合には、ステップＳ４１に先立ち、ベースバンド部２１は、ページングメッセージを受信する。
【００５８】
次いで、ベースバンド部２１は、ＳＩＢ１メッセージからＳＩＢメッセージのマッピング情報（ｓｉｂ−ＭａｐｐｉｎｇＩｎｆｏ、図５参照）を取り出す（ステップＳ４２）。そして、ベースバンド部２１は、取り出したＳＩＢメッセージのマッピング情報に設定されているＳＩＢタイプ（ｓｉｂＴｙｐｅ、図５参照）をチェックする（ステップＳ４３）。
【００５９】
ＳＩＢタイプのチェック結果がｓｉｂＴｙｐｅ１０である場合（ステップＳ４３：ｓｉｂＴｙｐｅ１０またはｓｉｂＴｙｐｅ１１）、ベースバンド部２１は、アプリケーション部２５にＥＴＷＳの緊急情報がスケジューリングされていることを通知する。ＳＩＢタイプのチェック結果がｓｉｂＴｙｐｅ１１である場合も同様である（ステップＳ４４）。一方、ＳＩＢタイプのチェック結果がｓｉｂＴｙｐｅ１０またはｓｉｂＴｙｐｅ１１でない場合（ステップＳ４３：ｓｉｂＴｙｐｅ１０／ｓｉｂＴｙｐｅ１１以外）、ステップＳ４４の処理は省略される。
【００６０】
そして、ベースバンド部２１は、取得したＳＩＢタイプの一覧を示すＳＩＢリストに、ステップＳ４３で取得したＳＩＢタイプ（ｓｉｂＴｙｐｅ）を追加する（ステップＳ４５）。ベースバンド部２１は、ステップＳ４２〜ステップＳ４５の処理を、ＳＩＢ１メッセージに設定されたスケジューリング情報（ｓｃｈｅｄｕｌｉｎｇＩｎｆｏＬｉｓｔ、図５参照）の数分、繰り返す。
【００６１】
ステップＳ４２〜ステップＳ４５の繰り返し処理が終了したら、ベースバンド部２１は、ＳＩＢリストに基づいて、スケジューリングされたＳＩＢｘメッセージの受信を開始する（ステップＳ４６）。ここで、ｘは２以上の整数である。そして、ベースバンド部２１は、ＳＩＢｘメッセージを受信する（ステップＳ４７）。次いで、ベースバンド部２１は、受信したＳＩＢｘメッセージのＳＩＢタイプ（ｓｉｂＴｙｐｅ）をチェックする（ステップＳ４８）。
【００６２】
ＳＩＢタイプのチェック結果がｓｉｂＴｙｐｅ１０またはｓｉｂＴｙｐｅ１１である場合（ステップＳ４８：ｓｉｂＴｙｐｅ１０またはｓｉｂＴｙｐｅ１１）、ベースバンド部２１は、アプリケーション部２５にＥＴＷＳの緊急情報を受信したことを通知する（ステップＳ４９）。一方、ＳＩＢタイプのチェック結果がｓｉｂＴｙｐｅ１０またはｓｉｂＴｙｐｅ１１でない場合（ステップＳ４８：ｓｉｂＴｙｐｅ１０／ｓｉｂＴｙｐｅ１１以外）、ベースバンド部２１は、受信したＳＩＢｘメッセージに従った処理を実施する（ステップＳ５０）。ベースバンド部２１は、ステップＳ４７〜ステップＳ５０の処理を、スケジューリングされた全てのＳＩＢｘメッセージを受信するまで繰り返す。
【００６３】
ステップＳ４７〜ステップＳ５０の繰り返し処理が終了したら、ベースバンド部２１での一連の処理が終了する。ここで、ステップＳ４４またはステップＳ４９での通知によって行われるアプリケーション部２５での処理（後述する）は、この一連のベースバンド部２１での処理とは別タスクであってもよい。その場合には、ベースバンド部２１での処理とアプリケーション部２５での処理とが並列に行われてもよい。
【００６４】
・アプリケーション部での処理
図１１は、実施例２にかかる無線通信端末のアプリケーション部での処理を示すフローチャートである。図１１に示すように、アプリケーション部２５は、ベースバンド部２１からの通知を受け取ると（図１０参照、ステップＳ４４またはステップＳ４９）、アプリケーション部２５の起動要因をチェックする（ステップＳ６１）。
【００６５】
起動要因のチェック結果が、ＥＴＷＳの緊急情報がスケジューリングされていることである場合（ステップＳ６１：ＥＴＷＳスケジューリング）、アプリケーション部２５は、ユーザにネットワーク側で緊急情報の配信が開始されたという簡易情報を通知する（ステップＳ６２）。一方、起動要因のチェック結果が、ＥＴＷＳの緊急情報を受信したことである場合（ステップＳ６１：ＥＴＷＳ受信）、アプリケーション部２５は、ユーザにネットワークから受信した緊急情報の内容を詳細情報として通知する（ステップＳ６３）。ユーザへの通知が終了すると、アプリケーション部２５での一連の処理が終了する。
【００６６】
ユーザへの通知方法については、例えば上述したように、専用のメッセージや専用のアイコンの表示、ランプの点灯や点滅、警告音の発生、無線通信端末２の振動、あるいはそれらの組み合わせが挙げられる。
【００６７】
実施例２によれば、無線通信端末２が、ＳＩＢ１メッセージにスケジューリングされているＳＩＢ１０／ＳＩＢ１１メッセージを受信する前に、ユーザに緊急情報の配信が開始されたことを通知するので、ユーザに例えばＥＴＷＳの緊急情報が配信されることを迅速に知らせることができる。また、ページングメッセージを受信していない状態でも、ユーザに緊急情報の配信が開始されたことや、緊急情報の詳細な内容を通知することができる。
【００６８】
上述した実施例１、２に関し、さらに以下の付記を開示する。
【００６９】
（付記１）第１のメッセージ及び第２のメッセージを受信する受信部と、前記第１のメッセージにスケジューリングされているメッセージを解析する解析部と、前記第１のメッセージの受信処理を行う受信処理部と、ユーザに前記第１のメッセージを受信したことを通知する通知部と、を備え、前記解析部は、前記受信部が受信した前記第１のメッセージに第２のメッセージがスケジューリングされているか否かを解析し、前記受信処理部は、前記第１のメッセージに前記第２のメッセージがスケジューリングされている場合に、前記通知部に前記第１のメッセージを受信したことを通知し、前記通知部は、前記受信処理部からの通知に基づいてユーザに前記第１のメッセージを受信したことを通知することを特徴とする無線通信端末。
【００７０】
（付記２）前記通知部は、前記受信処理部からの通知に基づいてユーザにこれから前記第２のメッセージを受信することを通知することを特徴とする付記１に記載の無線通信端末。
【００７１】
（付記３）前記受信処理部は、前記受信部が受信した前記第２のメッセージの受信処理を行い、前記第２のメッセージに含まれる緊急情報を抽出して、前記通知部に前記緊急情報を通知し、前記通知部は、前記受信処理部からの通知に基づいてユーザに前記緊急情報を通知することを特徴とする付記１または２に記載の無線通信端末。
【００７２】
（付記４）第１のメッセージ及び第２のメッセージを送信する基地局と、前記第１のメッセージ及び前記第２のメッセージを受信してユーザに通知する無線通信端末と、を備え、前記無線通信端末は、前記第１のメッセージ及び前記第２のメッセージを受信する受信部と、前記第１のメッセージにスケジューリングされているメッセージを解析する解析部と、前記第１のメッセージの受信処理を行う受信処理部と、ユーザに前記第１のメッセージを受信したことを通知する通知部と、を備え、前記解析部は、前記受信部が受信した前記第１のメッセージに前記第２のメッセージがスケジューリングされているか否かを解析し、前記受信処理部は、前記第１のメッセージに前記第２のメッセージがスケジューリングされている場合に、前記通知部に前記第１のメッセージを受信したことを通知し、前記通知部は、前記受信処理部からの通知に基づいてユーザに前記第１のメッセージを受信したことを通知することを特徴とする無線通信システム。
【００７３】
（付記５）前記通知部は、前記受信処理部からの通知に基づいてユーザにこれから前記第２のメッセージを受信することを通知することを特徴とする付記４に記載の無線通信システム。
【００７４】
（付記６）前記受信処理部は、前記受信部が受信した前記第２のメッセージの受信処理を行い、前記第２のメッセージに含まれる緊急情報を抽出して、前記通知部に前記緊急情報を通知し、前記通知部は、前記受信処理部からの通知に基づいてユーザに前記緊急情報を通知することを特徴とする付記４または５に記載の無線通信システム。
【００７５】
（付記７）無線通信端末により第１のメッセージを受信し、受信した前記第１のメッセージに第２のメッセージがスケジューリングされているか否かを解析し、解析した結果、前記第１のメッセージに前記第２のメッセージがスケジューリングされている場合に、無線通信端末のユーザインタフェースを用いてユーザに前記第１のメッセージを受信したことを通知し、前記無線通信端末により前記第１のメッセージでスケジューリングされていた前記第２のメッセージを受信し、前記無線通信端末のユーザインタフェースを用いてユーザに前記第２のメッセージを受信したことを通知することを特徴とする無線通信方法。
【００７６】
（付記８）ユーザに前記第１のメッセージを受信したことを通知する際に、ユーザにこれから前記第２のメッセージを受信することを通知することを特徴とする付記７に記載の無線通信方法。
【００７７】
（付記９）ユーザに前記第２のメッセージを受信したことを通知する際に、前記第２のメッセージに含まれる緊急情報を抽出して、ユーザに前記緊急情報を通知することを特徴とする付記７または８に記載の無線通信方法。
【符号の説明】
【００７８】
１  基地局
２  無線通信端末
３，２２  受信部
４，２４  解析部
５，２６  受信処理部
６，２７  通知部
【図１】
0005736954.tif 000002
【図２】
0005736954.tif 000003
【図３】
0005736954.tif 000004
【図４】
0005736954.tif 000005
【図５】
0005736954.tif 000006
【図６】
0005736954.tif 000007
【図７】
0005736954.tif 000008
【図８】
0005736954.tif 000009
【図９】
0005736954.tif 000010
【図１０】
0005736954.tif 000011
【図１１】
0005736954.tif 000012